(57)【特許請求の範囲】
【請求項１】
放電路が内部に形成される発光管と、前記発光管に対して電気的に並列に接続されており予め定められた電気特性を有する検出用素子とが並列的に組み込まれている放電ランプと；
スイッチング素子がオンオフ動作することで放電ランプを点灯駆動させる駆動回路と；
前記スイッチング素子をバイパスするバイパス回路と；
前記バイパス回路によってスイッチング素子がバイパスされると、前記発光管は点灯しないが前記検出素子へ電流が供給されることで前記検出用素子の電気特性を判別する検出回路と；
この検出回路の適合ランプであるとの判別出力に基づき、前記スイッチング素子をオンして前記放電ランプを適正に始動する始動回路と；
前記スイッチング素子のオンにより前記放電ランプを安定点灯する点灯回路；
とを備えていることを特徴とする照明装置。
【請求項２】
放電路が内部に形成される発光管と、前記発光管に対して電気的に並列に接続されており予め定められた電気特性を有する検出用素子とが並列的に組み込まれている放電ランプと；
スイッチング素子がオンオフ動作することで放電ランプを点灯駆動させる駆動回路と；
前記スイッチング素子をバイパスするバイパス回路と；
前記バイパス回路によってスイッチング素子がバイパスされると、前記発光管は点灯しないが前記検出素子へ電流が供給されることで前記検出用素子の電気特性を判別する検出回路と；
この検出回路の出力が所定の範囲にあるとき、前記放電ランプを適合ランプと判定する第１の判定回路と；
この検出回路の適合ランプであるとの判別出力に基づき、前記スイッチング素子をオンして前記放電ランプを適正に始動する始動回路と；
前記スイッチング素子のオンにより前記放電ランプを安定点灯する点灯回路と；
前記第１の判定回路の判定が適合ランプであるとき、前記始動回路及び点灯回路を動作する第１の制御回路；
とを備えていることを特徴とする照明装置。
【請求項３】
放電路が内部に形成される発光管と、前記発光管に対して電気的に並列に接続されており予め定められた電気特性を有する検出用素子とが並列的に組み込まれている放電ランプと；
スイッチング素子がオンオフ動作することで放電ランプを点灯駆動させる駆動回路と；
前記スイッチング素子をバイパスするバイパス回路と；
前記バイパス回路によってスイッチング素子がバイパスされると、前記発光管は点灯しないが前記検出素子へ電流が供給されることで前記検出用素子の電気特性を判別する検出回路と；
この検出回路の出力が所定の範囲にあるとき、前記放電ランプを適合ランプと判定する第１の判定回路と；
この検出回路の適合ランプであるとの判別出力に基づき、前記スイッチング素子をオンして前記放電ランプを適正に始動する始動回路と；
前記スイッチング素子のオンにより前記放電ランプを安定点灯する点灯回路と；
前記第１の判定回路の判定が適合ランプであるとき、前記始動回路及び点灯回路を動作する第１の制御回路と；
前記検出回路の出力に基づいて前記始動回路及び点灯回路の出力を制御する第２の制御回路と；
を備えていることを特徴とする照明装置。
【請求項４】
第１の判定回路が装着ランプを適合ランプであると判定した後予め設定された期間中は放電ランプの点灯を留保する留保手段を備えていることを特徴とする請求項２または３に記載の照明装置。
【請求項５】
留保手段は；
第１の判定回路が装着ランプを適合ランプであると判定した後予め設定された期間をカウントする第１のタイマと；
この期間中は始動回路を停止する第３の制御回路とを備えていることを特徴とする請求項４に記載の照明装置。
【請求項６】
始動回路は；
始動用パルスを放電ランプに印加するように構成されており；
前記始動回路が始動パルスを発生したときに、その始動パルスの継続時間をカウントする第２のタイマと；
このカウント時間が予め設定された時間を超えるときには前記始動回路を停止する第４の制御回路とを備えていることを特徴とする請求項１、２、３、４、５のいずれかの一に記載の照明装置。
【請求項７】
点灯回路は、放電ランプを直流点灯する構成であり；
前記点灯回路を制御して、前記放電ランプのランプ電流に当該放電ランプが再点弧しない程度の時間の休止区間を設ける第６の制御回路を備えていることを特徴とする請求項１、２、３、４、５、６のいずれかの一に記載の照明装置。
【請求項８】
放電ランプは；
点灯の際の発光管の等価抵抗またはインピーダンスより検出用素子の抵抗またはインピーダンスが大きいものであることを特徴とする請求項１、２、３、４、５、６、７のいずれかの一に記載の照明装置。
【請求項９】
放電ランプ内に設けられ、この放電ランプの温度の上昇により動作して検出用素子への通電を切る熱応動素子を備えていることを特徴とする請求項１、２、３、４、５、６、７、８のいずれかの一に記載の照明装置。
【請求項１０】
検出用素子は；
抵抗温度係数が５００ｐｐｍ／℃以上の抵抗であることを特徴とする請求項１、２、３、４、５、６、７、８、９のいずれかの一に記載の照明装置。
【発明の詳細な説明】
【０００１】
【発明の属する技術分野】
この発明は、放電ランプを点灯する照明装置に関する。
【０００２】
【従来の技術】
特開平７−１０６０８８号公報には、定格ランプ電圧の異なる放電ランプの誤装着を防止するため、放電ランプの点灯時の電気的特性を検出して放電ランプのランプ電力を検出する技術が開示されている。
【０００３】
【発明が解決しようとする課題】
ところで、近年は、別種のランプ同士の口金が共通化されてきており、別種ランプの誤装着がなされる可能性がある。
【０００４】
しかしながら、前記従来技術では、同種ランプの定格ランプ電力の違いを検出できたとしても、定格ランプ電力の違いが同一である高圧放電ランプと白熱電球のように、ランプの種類は異なるが定格ランプ電力の違いが共通であるときには対応できないという課題がある。
【０００５】
また、前記従来技術では、装着ランプがランプ種類や定格ランプ電力の違いの点で適合ランプであることを検出するために、当該装着ランプを点灯してみなければならない。そのため、例えば、高圧放電ランプの点灯装置で定格ランプ電力がより低い高圧放電ランプを点灯すると、そのランプは過入力となり、破裂する危険があるなどの課題がある。
【０００６】
この発明の目的は、装着ランプを点灯することなく、当該装着ランプが適合ランプであるか否かを検出できるようにすることにある。
【０００７】
この発明の別の目的は、装着ランプが適合ランプであることを検出し、自動的に点灯できるようにすることにある。
【０００８】
この発明の別の目的は、適合ランプを装着するだけで、適合ランプを自動点灯できるようにすることにある。
【０００９】
この発明の別の目的は、消灯後あまり間をおかない再点灯を行なう場合などに、適合ランプが点灯できる状態にあるか否かまで含めて判定できるようにすることにある。
【００１０】
この発明の別の目的は、定格ランプ電力の違いを検出し、その定格ランプ電力に応じた点灯駆動をできるようにすることにある。
【００１１】
この発明の別の目的は、適合ランプが点灯できる状態にあるか否かまで含めて判定する場合に、判定の精度を向上させることができるようにすることにある。
【００１２】
この発明の別の目的は、無駄な始動パルスの発生を防止できるようにすることにある。
【００１３】
この発明の別の目的は、適合ランプを装着するだけで自動点灯する場合に、ランプ装着中の安全性を高めることにある。
【００１４】
この発明の別の目的は、装着ランプが適合ランプであるか否かを検出できるようにしても、電力損失が大きくならないようにすることにある。
【００１５】
この発明の別の目的は、装着ランプを点灯することなく、当該装着ランプが適合ランプであるか否かを検出する回路に、点灯中の放電ランプの異常を検出する回路を併設する場合に、回路構成を簡易なものとすることにある。
【００１６】
この発明の別の目的は、放電ランプの装着が不完全な場合でも、放電ランプの口金とソケットとの間に生じている隙間で放電が生じないようにすることにある。
【００２２】
【課題を解決するための手段】
請求項１に記載の発明は、放電路が内部に形成される発光管と、前記発光管に対して電気的に並列に接続されており予め定められた電気特性を有する検出用素子とが並列的に組み込まれている放電ランプと；スイッチング素子がオンオフ動作することで放電ランプを点灯駆動させる駆動回路と；前記スイッチング素子をバイパスするバイパス回路と；前記バイパス回路によってスイッチング素子がバイパスされると、前記発光管は点灯しないが前記検出素子へ電流が供給されることで前記検出用素子の電気特性を判別する検出回路と；この検出回路の適合ランプであるとの判別出力に基づき、前記スイッチング素子をオンして前記放電ランプを適正に始動する始動回路と；前記スイッチング素子のオンにより前記放電ランプを安定点灯する点灯回路；とを備えていることを特徴とするものである。
【００２３】
従って、検出回路の出力が所定の範囲内にあるか否かにより、装着ランプが適合ランプであるか否かを装着ランプを点灯することなく判定することができる。
【００２４】
また、適合ランプを装着するだけで自動点灯することも可能となる。
【００２５】
さらに、同種の適合ランプの定格ランプ電力の違いに対応した点灯を行なうことも可能となる。
【００２６】
そのうえ、検出用素子の温度特性により電気特性が変動することを利用し、検出回路の出力の所定の範囲を適切に設定することで、消灯後にあまり間をおかず再点灯するような場合など、適合ランプである装着ランプが点灯に適しない状態であるか否かまで含めて判断することが可能となる。
【００２７】
なお、第１の判定回路は、例えば、ウインドウコンパレータ回路により構成することができる。
【００２８】
請求項２に記載の発明は、放電路が内部に形成される発光管と、前記発光管に対して電気的に並列に接続されており予め定められた電気特性を有する検出用素子とが並列的に組み込まれている放電ランプと；スイッチング素子がオンオフ動作することで放電ランプを点灯駆動させる駆動回路と；前記スイッチング素子をバイパスするバイパス回路と；前記バイパス回路によってスイッチング素子がバイパスされると、前記発光管は点灯しないが前記検出素子へ電流が供給されることで前記検出用素子の電気特性を判別する検出回路と；この検出回路の出力が所定の範囲にあるとき、前記放電ランプを適合ランプと判定する第１の判定回路と；この検出回路の適合ランプであるとの判別出力に基づき、前記スイッチング素子をオンして前記放電ランプを適正に始動する始動回路と；前記スイッチング素子のオンにより前記放電ランプを安定点灯する点灯回路と；前記第１の判定回路の判定が適合ランプであるとき、前記始動回路及び点灯回路を動作する第１の制御回路；とを備えていることを特徴とするものである。
【００２９】
従って、検出回路の出力が所定の範囲内にあるか否かにより、装着ランプが適合ランプであるか否かを装着ランプを点灯することなく判定することができる。
【００３０】
また、装着ランプが適合ランプであるか否かを検出して、適合ランプであるときに始動回路及び点灯回路を動作するので、適合ランプを装着するだけで自動点灯することも可能となる。
【００３１】
さらに、同種の適合ランプの定格ランプ電力の違いに対応した点灯を行なうことも可能となる。
【００３２】
そのうえ、検出用素子の温度特性により電気特性が変動することを利用し、検出回路の出力の所定の範囲を適切に設定することで、消灯後にあまり間をおかず再点灯するような場合など、適合ランプである装着ランプが点灯に適しない状態であるか否かまで含めて判断することが可能となる。
【００３３】
請求項３に記載の発明は、放電路が内部に形成される発光管と、前記発光管に対して電気的に並列に接続されており予め定められた電気特性を有する検出用素子とが並列的に組み込まれている放電ランプと；スイッチング素子がオンオフ動作することで放電ランプを点灯駆動させる駆動回路と；前記スイッチング素子をバイパスするバイパス回路と；前記バイパス回路によってスイッチング素子がバイパスされると、前記発光管は点灯しないが前記検出素子へ電流が供給されることで前記検出用素子の電気特性を判別する検出回路と；この検出回路の出力が所定の範囲にあるとき、前記放電ランプを適合ランプと判定する第１の判定回路と；この検出回路の適合ランプであるとの判別出力に基づき、前記スイッチング素子をオンして前記放電ランプを適正に始動する始動回路と；前記スイッチング素子のオンにより前記放電ランプを安定点灯する点灯回路と；前記第１の判定回路の判定が適合ランプであるとき、前記始動回路及び点灯回路を動作する第１の制御回路と；前記検出回路の出力に基づいて前記始動回路及び点灯回路の出力を制御する第２の制御回路とを備えていることを特徴とするものである。
【００３４】
従って、検出回路の出力が所定の範囲内にあるか否かにより、装着ランプが適合ランプであるか否かを装着ランプを点灯することなく判定することができる。
【００３５】
また、装着ランプが適合ランプであるか否かを検出して、適合ランプであるときに始動回路及び点灯回路を動作するので、適合ランプを装着するだけで自動点灯することも可能となる。
【００３６】
さらに、同種の適合ランプの定格ランプ電力の違いに対応した点灯を行なうことも可能となる。
【００３７】
そのうえ、消灯後にあまり間をおかず再点灯するような場合など、適合ランプである装着ランプが点灯に適しない状態であるか否かまで含めて判断することが可能となる。
【００３８】
検出回路の出力に基づいて始動回路及び点灯回路の出力を制御するので、同種の放電ランプの定格電力の違いを判別して適正に点灯することも可能となる。
【００３９】
請求項４に記載の発明は、第１の判定回路が装着ランプを適合ランプであると判定した後予め設定された期間中は放電ランプの点灯を留保する留保手段を備えていることを特徴とするものである。
【００４０】
従って、期間中は放電ランプを点灯しないので、適合ランプを装着すれば直ちに自動点灯される場合にも安全である。
【００４１】
なお、放電ランプの点灯を留保するには、始動回路の駆動を留保してもよいし、点灯回路による放電ランプへの電力供給を留保するようにしてもよい。
【００４２】
請求項５に記載の発明は、第１の判定回路が装着ランプを適合ランプであると判定した後予め設定された期間をカウントする第１のタイマと、この期間中は始動回路を停止する第３の制御回路とを備えていることを特徴とするものである。
【００４３】
従って、装着ランプを適合ランプであると判定した後、予め設定された期間をカウントし、この期間中は始動回路を停止することで放電ランプの点灯を留保するので、適合ランプを装着すれば直ちに自動点灯される場合にも安全である。
【００４４】
請求項６に記載の発明は、始動回路は；始動用パルスを放電ランプに印加するように構成されており；前記始動回路が始動パルスを発生したときに、その始動パルスの継続時間をカウントする第２のタイマと；このカウント時間が予め設定された時間を超えるときには前記始動回路を停止する第４の制御回路とを備えていることを特徴とするものである。
【００４５】
従って、装着ランプの故障などに起因して一定時間始動パルスを与えても点灯しないときは、始動回路を停止し、無駄な始動パルスによりランプの口金の絶縁破壊や、他の電気、電子機器への悪影響を防止することができる。
【００４７】
従って、検出回路を、放電ランプの出力を検出する出力検出回路と、この検出出力を第１の数値範囲と比較して、この第１の数値範囲内にあるときには第１の制御回路に信号を出力する第１の比較回路とで構成し、第１の制御回路を、所定の信号を受け取っているときには点灯回路および始動回路を駆動し、受け取っていないときには停止する回路構成とすれば、あとは、検出出力を第２の数値範囲と比較して、この第２の数値範囲内にあるときには第１の制御回路に信号を出力する回路を設けるだけで、点灯中の放電ランプの異常を検出することができる。すなわち、第１の数値範囲を適合ランプを検出したときの値とし、第２の数値範囲を放電ランプが正常に点灯しているときの値として設定すればよい。
【００４８】
なお、第１、第２の比較回路は、例えば、各々を、ウインドウコンパレータ回路で構成することができる。
【００４９】
請求項７に記載の発明は、点灯回路は、放電ランプを直流点灯する構成であり；前記点灯回路を制御して、前記放電ランプのランプ電流に当該放電ランプが再点弧しない程度の時間の休止区間を設ける第６の制御回路を備えていることを特徴とするものである。
【００５０】
従って、直流点灯する放電ランプのランプ電流に、当該放電ランプが再点弧しない程度の時間の休止区間が生じる。このように、ランプ電流に休止区間をつくることにより、ランプの口金とソケットとの隙間で放電が生じるのを防止できることが確かめられた。
【００５１】
なお、１度生じた放電は休止区間を１回つくれば停止するが、この休止区間を定期的に作るようにすれば、いつ発生するかわからない放電現象に対応することができるので、望ましい。
【００５２】
請求項８に記載の発明は、放電ランプは；点灯の際の発光管の等価抵抗またはインピーダンスより検出用素子の抵抗またはインピーダンスが大きいものであることを特徴とするものである。
【００５３】
従って、検出用素子による電力損失を抑制することができる。
【００５４】
請求項９に記載の発明は、放電ランプ内に設けられ、この放電ランプの温度の上昇により動作して検出用素子への通電を切るバイメタルスイッチなどの熱応動素子を備えていることを特徴とするものである。
【００５５】
従って、適合ランプを点灯した後、ある程度ランプ温度が上昇したところで検出用素子への通電を切って、電力損失を防止することができる。
【００５６】
請求項１０に記載の発明は、検出用素子は抵抗温度係数が５００ｐｐｍ／℃以上の抵抗であることを特徴とするものである。
【００５７】
従って、検出用素子の温度特性を用いて検出を行なう場合でも、抵抗温度係数が５００ｐｐｍ／℃以上と比較的大きな抵抗を検出用素子とするので、温度変動に応じた抵抗またはインピーダンスなどの電気特性の値の変動を大きくすることができて、検出の精度を向上することができる。
【００５８】
【発明の実施の形態】
〔発明の第１の実施の形態〕
図１は、この発明の第１の実施の形態を示す照明装置１の回路図であり、直流用のものである。
【００５９】
図１に示すように、照明装置１は、直流電源２の電源ラインに、点灯回路３、イグナイタ回路４、ランプ装着検出回路５、高圧放電ランプ６が順次接続されている。
【００６０】
点灯回路３は、高圧放電ランプ６を点灯駆動する駆動回路１１と、この駆動回路１１を制御する制御回路１２とからなる。
【００６１】
駆動回路１１は、スイッチング素子１３、このスイッチング素子１３のベース側に２次側巻線が接続されているトランス１４、チョークコイル１５、還流ダイオード１６などからなり、トランス１４の１次側巻線に方形波が入力されることにより、スイッチング素子１３がオン、オフして高圧放電ランプ６を点灯駆動する。
【００６２】
制御回路１２は、前記トランス１４の１次側巻線への電力供給をオン、オフするスイッチング素子２１、２２、このスイッチング素子２１、２２のゲート側に出力側が接続された比較器２３、この比較器２３の反転入力端子に出力側が接続された発振器２４などからなり、発振器２４が出力する三角波のパルスと一定の基準電圧が比較器２３で比較され、それに応じた出力が比較器２３から出力されて、前記トランス１４に印加される方形波のデューティ比に応じた出力が駆動回路１１から高圧放電ランプ６に供給される。
【００６３】
イグナイタ回路４は、電源ライン間に接続された充電コンデンサ３１、パルストランス３２、一方が電源ラインのマイナス側に他方がパルストランス３２の１次側巻線に接続されている充電コンデンサ３３、アノード側がパルストランス３２の１次側巻線に接続され、カソード側が電源ラインのマイナス側に接続されているサイリスタ３４と、充電コンデンサ３１の充電側とサイリスタ３４のゲート側に接続されたトリガ素子３５などからなる。充電コンデンサ３１に一定以上の電気エネルギーが蓄積されるとトリガ素子３５がサイリスタ３４にトリガをかけて、パルストランス３２の１次側巻線に充電コンデンサ３３の充電電流が流れるという動作を繰り返すことにより、パルストランス３２の２次側巻線から高圧放電ランプ６に始動パルスが印加される。
【００６４】
高圧放電ランプ６は、例えばメタルハライドランプであり、発光管４１と、検出用素子４２とが並列に接続されている。より具体的には、図２に示すように、高圧放電ランプ６の内部では、発光管４１に電力を供給するワイヤ４５、４６間に検出用素子４２が接続されている。検出用素子４２は、この例では分圧検出用の抵抗である。この検出用素子４２は、抵抗温度係数が５００ｐｐｍ／℃以上である。また、検出用素子４２の抵抗値は、発光管４１の点灯時の等価抵抗値より大きい。
【００６５】
ランプ装着検出回路５は、比較器５１、５２からなるウインドウコンパレータを用いており、比較器５１の非反転入力端子と、比較器５２の反転入力端子は、高圧放電ランプ６への電力供給ラインのプラス側に接続され、比較器５１の反転入力端子と、比較器５２の非反転入力端子に各々入力される基準電圧と比較される。比較器５１の出力端子と、比較器５２の出力端子は互いに接続されて、両比較器の合成された出力電圧が前記発振器２４に入力される。
【００６６】
検出用素子５３は、この例では分圧検出用の抵抗であり、スイッチング素子１３のエミッタ、コレクタ間にスイッチ５４とともに直列に接続されていて、スイッチング素子１３をバイパスして電源ラインに電流を流すことができる。
【００６７】
次に、前記照明装置１の動作について説明する。
【００６８】
スイッチ５４を閉じると、スイッチング素子１３をバイパスして高圧放電ランプ６に電流が流れる。このとき、イグナイタ回路４、点灯回路３とも動作していないので、発光管４１は点灯しておらず、直列に接続した検出用素子５３、４２に直流電流が流れることになる。これにより、高圧放電ランプ６、すなわち検出用素子４２の抵抗値の大小に応じた分圧が、比較器５１、５２に印加されることになる。比較器５１、５２では、この比較器の各々に入力されている基準電圧に応じて、前記分圧が一定数値範囲にあるときにのみ比較器５１、５２の両方がプラス電圧を出力する。
【００６９】
すなわち、高圧放電ランプ６の抵抗値、すなわち検出用素子４２の抵抗値が一定数値範囲に収まる場合は、照明装置１の装着ランプをその照明装置１の適合ランプと判断し、そのときの比較器５１、５２の両方が出力するプラス電圧の合成電圧を照明装置１の駆動開始信号として用いることができる。
【００７０】
より具体的に説明すると、照明装置１が２５０ワット用のメタルハライドランプを適合ランプとするものであった場合に、２５０ワット用のメタルハライドランプには、抵抗値が前記一定数値範囲内に収まるような検出用素子４２を接続すれば、このようなメタルハライドランプは適合ランプとして前記駆動開始信号を出力する。逆に、照明装置１の装着ランプが他の定格ランプ電力（７０ワット、１５０ワットなど）のメタルハライドランプである場合や、他の種類のランプ、例えば白熱電球である場合は、当該装着ランプの抵抗値が異なるため（白熱電球内にはフィラメントがあるため電流は流れるが、フィラメントの抵抗値は小さい）、これにより装着ランプの誤装着を装着ランプを点灯させなくても検出できる。
【００７１】
また、検出用素子４２の抵抗値が前記一定数値範囲内に収まるか否かを検出することにより、消灯後の装着ランプが再点灯可能な状態にあるか否かを判定することもできる。すなわち、検出用素子４２の抵抗値は、その温度が高いほど高くなり、始動パルスを与えても再点灯できない可能性がある。よって、前記一定数値範囲を上回る抵抗値が検出されたときは、再点灯するにはランプ温度が高いと判断してイグナイタ回路４を停止することにより、再点灯可能な温度にランプ温度が下がるまで無駄な始動パルスを与えないようにすることができる。
【００７２】
この場合に、図３に示すように、抵抗値の前記一定数値範囲の上限値は、高圧放電ランプ６の点灯可能な上限値と考えられる値ｂ以下にし、常温（２５℃程度）時の抵抗値ａ以上とするのが望ましい。
【００７３】
また、抵抗温度係数が５００ｐｐｍ／℃以上あるので、ランプ温度変化に対する抵抗値の傾きを充分大きくすることができて好適である。
【００７４】
上記のように、装着ランプが照明装置１の適合ランプとランプ装着検出回路５で判断されて、制御回路１２の発振器２４に照明装置１の駆動開始信号が出力されると、前記のように、制御回路１２が駆動回路１１を駆動し、これにより、イグナイタ回路４も駆動されて適合ランプである高圧放電ランプ６に始動パルスが与えられ、高圧放電ランプ６が点灯する。
【００７５】
また、検出用素子４２の抵抗値は、発光管４１の点灯時の等価抵抗値より大きく設定しているので、検出用素子４２に通電することによる電力損失を比較的小さくすることができる。
【００７６】
さらに、前記のように、検出用素子４２をワイヤ４５、４６に接続しているので、この検出用素子４２の接続は発光管４１のマウント強度の向上にも寄与する。
【００７７】
〔発明の第２の実施の形態〕
図４は、この発明の第２の実施の形態を示す照明装置６０の回路図であり、交流用のものである。
【００７８】
同図において、図１、２と同一符号の回路要素などは、前記発明の第１の実施の形態と同様のものであり、詳細な説明は省略する。
【００７９】
図４に示すように、照明装置６０は、ＤＣ−ＤＣコンバータ６１と、インバータ回路６２とからなる点灯回路６３を備えている。
【００８０】
ＤＣ−ＤＣコンバータ６１は、スイッチング素子６４、チョークコイル６５、還流ダイオード６６などから構成され、スイッチング素子６４のゲートには制御回路７５から信号電圧が印加される。
【００８１】
インバータ回路６２は、４つのスイッチング素子７１、７２、７３、７４のフルブリッジ回路であり、このスイッチング素子７１、７２、７３、７４のオン、オフにより、高圧放電ランプ６を交流駆動する。
【００８２】
制御回路７５は、デューティ比の異なる信号を出力して、スイッチング素子６４をオン、オフ駆動する。
【００８３】
この照明装置６０では、ランプ装着検出回路５を複数段、この例では３段備えていて、各ランプ装着検出回路５では比較器５１、５２の基準電圧が様々に設定されている。
【００８４】
次に、前記照明装置６０の動作について説明する。
【００８５】
この照明装置６０では、ランプ装着検出回路５を複数段、この例では３段備えていて、各ランプ装着検出回路５では比較器５１、５２の基準電圧が様々に設定されているので、各ランプ装着検出回路５で検出できる高圧放電ランプ６、すなわち検出用素子４２の抵抗値の大小に応じた分圧を、各々異なる一定数値範囲とすることができる。
【００８６】
そして、各々異なる一定数値範囲を高圧放電ランプ６の複数種類の定格ランプ電力（例えば、７０ワット、１５０ワット、２５０ワット）に対応させておけば、どのランプ装着検出回路５からの信号が出力されるか、あるいはどのランプ装着検出回路５からも信号が出力されないかにより、ランプ種類が適合ランプでないか、あるいは、ランプ種類が適合ランプであってその定格ランプ電力がいくつであるかを判断することができる。
【００８７】
そして、制御回路７５にいずれのランプ装着検出回路５からも信号が入力しないときはスイッチング素子６４をオン、オフ駆動せず、点灯回路６３は駆動しないので、誤装着されたランプ種類が不適合のランプ（白熱電球など）を点灯しない。
【００８８】
制御回路７５にいずれかのランプ装着検出回路５から信号が入力したときは、その信号が入力したランプ装着検出回路５がいずれであるのかにより、スイッチング素子６４のオン時間の比を変えるので、ランプ種類は適合ランプである装着ランプの定格ランプ電力を判断し、その定格ランプ電力に対応した出力がＤＣ−ＤＣコンバータ６１から出力される。
【００８９】
〔発明の第３の実施の形態〕
図５は、この発明の第３の実施の形態を示す照明装置８０の回路図であり、同図において図１、２と同一符号の回路要素などは、前記発明の第１の実施の形態と同様のものであり、詳細な説明は省略する。
【００９０】
この照明装置８０は、前記照明装置１にパルス停止回路８１を追加したものである。
【００９１】
このパルス停止回路８１は、前記充電コンデンサ３１の両側にエミッタ、コレクタが接続されているスイッチング素子８２、このスイッチング素子８２のゲート側に接続されてこのスイッチング素子８２をオン、オフするタイマ８３、このタイマ８３の電源である直流電源８４などから構成される。直流電源８４は、イグナイタ回路４が動作するとタイマ８３に電力を供給して駆動する。
【００９２】
次に、前記照明装置８０の動作について説明する。
【００９３】
スイッチ５４が閉じられると、前記第１の実施の形態のように、装着ランプが適合ランプであるか否かを判断し、適合ランプと判断すれば、イグナイタ回路４が始動パルスを発生して、装着ランプの始動をこころみる。
【００９４】
タイマ８３が駆動を開始して、予め設定されている一定時間のカウントを開始する。そして、この一定時間が経過すると、タイマ８３からスイッチング素子８２のゲート側に電圧が出力され、スイッチング素子８２がオンすることにより、充電コンデンサ３１間が短絡され、充電コンデンサ３１の充電が妨げられるので、イグナイタ回路４は、以後動作を停止する。
【００９５】
高圧放電ランプ６を消灯した後、高圧放電ランプ６がまだ充分に冷えていないとき再点灯する場合には、検出用素子４２の温度特性により、しばらくはランプ装着検出回路５が装着ランプを適合ランプと判定できない場合がある。装着ランプが充分に冷えてランプ装着検出回路５が装着ランプを適合ランプと判定すると、前記のとおりイグナイタ回路４による始動パルスの発生が開始する。そして、このイグナイタ回路４の始動に連動して、タイマ８３にも通電され、タイマ８３は一定時間をカウントし始める。この時間中に高圧放電ランプ６が抜かれたり、故障した場合も、タイマ８３でカウントする一定時間だけランプの始動を試みた後にイグナイタ回路４を停止するので、無駄な始動パルスを防止し、装着ランプの口金に絶縁破壊を生じたり、他の電気、電子機器に悪影響を与えるようなことがない。
【００９６】
〔発明の第４の実施の形態〕
図６は、この発明の第４の実施の形態を示す照明装置９０の回路図であり、同図において図１、２と同一符号の回路要素などは、前記発明の第１の実施の形態と同様のものであり、詳細な説明は省略する。
【００９７】
この照明装置９０では、ＤＣ−ＤＣコンバータ９１と駆動回路９２とからなる点灯回路９３を備えている。ＤＣ−ＤＣコンバータ９１は、スイッチング素子９４、チョークコイル９５、還流ダイオード９６、平滑コンデンサ９７などからなる。
【００９８】
駆動回路９２は、前記スイッチング素子９４のゲートに接続され、スイッチング素子９４を一定のオン時間比でオン、オフする。
【００９９】
検出用素子５３は、ＤＣ−ＤＣコンバータ９１のマイナス側の出力ラインに接続されていて、スイッチ５４は検出用素子５３を介さずに、スイッチング素子９４をバイパスするように接続されている。
【０１００】
ランプ点灯検出回路１０１は装着ランプと並列に接続されていて、装着ランプの分圧の変動により、装着ランプの点灯の有無を検出する。
【０１０１】
タイマ１０５は、前記第３の実施の形態と同様に、一定時間のカウントを開始し、ランプ点灯検出回路１０１が適合ランプの点灯を検出したときと、カウント時間が経過するまでに適合ランプが点灯されなかったときは、制御回路１０３に信号を出力する。制御回路１０３はこの信号を受けて駆動回路９２、イグナイタ回路４に駆動停止信号を出力する。
【０１０２】
ランプ装着検出回路５は、装着ランプを適合ランプと判断すると、タイマ１０４による一定時間のカウントを開始する。このカウントが終了すると、制御回路１０３は駆動回路９２に信号を送り、駆動回路９２はＤＣ−ＤＣコンバータ９１を駆動する。
【０１０３】
高圧放電ランプ６内には、温度の上昇により検出用素子４２への通電を切る、バイメタルスイッチなどの熱応動素子１０２が接続されている。この熱応動素子１０２は、発光管４１の熱を充分に感知できるように、図７に示すように、発光管４１の近傍に配置されている。
【０１０４】
次に、前記照明装置９０の動作について説明する。
【０１０５】
スイッチ５４を閉じた状態で、かつ、照明装置９０に装着ランプがない状態で、適合ランプである高圧放電ランプ６を装着すると、検出用素子４２の分圧によりランプ装着検出回路５が適合ランプと判断して、制御回路１０３が点灯回路９３が駆動するように制御信号を出力し、さらに、イグナイタ回路４が駆動して高圧放電ランプ６を点灯する。従って、適合ランプを装着するだけで、自動的にランプを点灯させることができる。
【０１０６】
この場合に、ランプ装着検出回路５が適合ランプを検出して直ちにランプ点灯がされるのではなく、タイマ１０４の設定時間が過ぎるまで待つので、適合ランプの装着作業の完全な終了までランプ点灯開始を待つことができて安全性を高めることができる。
【０１０７】
また、イグナイタ回路４が動作してタイマ１０５がカウントを開始し、ランプ点灯検出回路１０１が適合ランプの点灯を検出したときと、カウント時間が経過するまでに適合ランプが点灯されなかったときは、制御回路１０３に信号を出力して、イグナイタ回路４に駆動停止信号を出力する。従って、適合ランプの故障などで点灯できない場合でも、無駄な始動パルスの出力が防止され、装着ランプの口金に絶縁破壊を生じたり、他の電気、電子機器に悪影響を与えるようなことがない。
【０１０８】
タイマ１０５によるカウント時間内にランプ点灯がなく、その後、装着ランプを交換したときは、交換ランプが適合ランプであるか否かランプ装着検出回路５が再度判定を行ない、適合ランプであるときはタイマ１０４による前記の待ち時間後に、制御回路１０３が駆動回路９２に信号を出力し、前記と同様に自動点灯がこころみられる。
【０１０９】
また、適合ランプ６が点灯してしばらく時間が経過し、ランプ温度が上昇すると、熱応動素子１０６により検出用素子４２への通電が切られるので、検出用素子４２による電力損失が防止される。
【０１１０】
〔発明の第５の実施の形態〕
図８は、この発明の第５の実施の形態を示す照明装置１１０の回路図であり、直流用のものである。同図において図１、２、６と同一符号の回路要素などは、前記発明の第１、第４の実施の形態と同様のものであり、詳細な説明は省略する。
【０１１１】
この照明装置１１０は、図８に示すように、ランプ状態検出回路１１１を備えている。このランプ状態検出回路１１１は、比較器１１２、１１３からなるウインドコンパレータ回路であり、高圧放電ランプ６のランプ電圧の大きさが所定の数値範囲内にあるか否かを判断する。この所定数値範囲は、高圧放電ランプ６が正常に点灯しているときのランプ電圧の大きさの数値範囲であり、このような数値範囲となるように比較器５１、５２の基準電圧が設定されている。ランプ状態検出回路１１１の出力は、ランプ装着検出回路５と同様に、発振器２４に入力される。なお、電圧検出回路１１４は、高圧放電ランプ６の分圧に比例した電圧を、ランプ装着検出回路５、ランプ状態検出回路１１１に出力する。
【０１１２】
上記の回路構成としたことにより、ランプ装着検出回路５で適合ランプを検出した後、高圧放電ランプ６のランプ電圧の大きさが所定の数値範囲内にあるときは、点灯回路９３をそのまま運転して、高圧放電ランプ６を点灯を維持する。しかし、イグナイタ回路４が始動パルスを印加しているのに高圧放電ランプ６が点灯しなかったり、高圧放電ランプ６にリークが生じてランプ電圧が極端に低下、あるいは上昇したときなど、高圧放電ランプ６のランプ電圧の大きさが所定の数値範囲内からはずれ、高圧放電ランプ６が正常に点灯していないと認められるときは、発振器２４をオフして、照明装置１１０を停止することができる。
【０１１３】
このような回路構成とすれば、ランプ電圧を検出して、高圧放電ランプ６の点灯に異常があるときに高圧放電ランプ６の点灯を停止する従来より知られている回路と、装着ランプが適合ランプか否かを検出して、適合ランプである場合に自動点灯する回路とを併用する場合に、両回路において、制御回路１２や電圧検出回路１１４を共用化することができるので、回路構成を簡易なものとすることができる。
【０１１４】
〔発明の第６の実施の形態〕
図９は、この発明の第６の実施の形態を示す照明装置１２０の回路図であり、直流用のものである。同図において図５と同一符号の回路要素などは、前記発明の第３の実施の形態と同様のものであり、詳細な説明は省略する。
【０１１５】
この照明装置１２０は、図５に示す発明の第３の実施の形態の照明装置８０で、パルス停止回路８１に代えて、パルス発生回路１２１を設けたものである。このパルス発生回路１２１は、抵抗１２２と充電コンデンサ１２３とのＲＣ回路であって、ランプ装着検出回路５の出力信号が入力されるタイマ回路１２４と、このタイマ回路１２４の充電コンデンサ１２３の充電側がベースと接続され、充電コンデンサ３１の両側にエミッタ、コレクタが接続されているスイッチング素子１２５とを備えている。
【０１１６】
すなわち、この照明装置１２０は、照明装置８０におけるタイマ８３に代えてタイマ回路１２４を設けたもので（スイッチング素子１２５はスイッチング素子８２に相当する）、ランプ装着検出回路５が適合ランプの装着を検出した後、スイッチング素子１２５がオンとなるまでに、タイマ回路１２４のＲＣ時定数で定まる所定の時間遅れを作るものである。
【０１１７】
ところで、高圧放電ランプ６を装着するに際しては、口金がソケット内の端子に接触して後も、口金をソケット内のさらに奥まで差し込まなければ、完全に装着することができない。それにもかかわらず、口金がソケット内の端子に接触することにより、ランプ装着検出回路５が適合ランプを検出して自動点灯するので、作業者がランプ装着作業を完了したと早合点してランプの装着状態を不完全なまま放置する可能性がある。そして、これがもとで、口金がゆるみ、高圧放電ランプ６を直流駆動する場合には、ソケット、口金間で放電を生じてしまう恐れがある。また、作業者がランプ装着作業中に不快な電撃を受ける可能性もある。
【０１１８】
これに対し、この照明装置１２０では、ランプ装着検出回路５で適合ランプの検出がなされても、高圧放電ランプ６の点灯、すなわち、始動パルスの印加をただちには開始せず、タイマ回路１２４で、イグナイタ回路４の運転開始時間に遅れを作るので、高圧放電ランプ６の装着作業を完了してはじめてランプの自動点灯を行なうことを可能とし、前記の問題を解決することができる。
【０１１９】
〔発明の第７の実施の形態〕
図１０は、この発明の第７の実施の形態を示す照明装置１３０の回路図であり、直流用のものである。同図において図８と同一符号の回路要素などは、前記発明の第５の実施の形態と同様のものであり、詳細な説明は省略する。
【０１２０】
この照明装置１３０は、制御回路１３１を備えている。この制御回路１３１は、電圧検出回路１１４で検出したランプ電圧を増幅する非反転増幅回路１３２と、この非反転増幅回路１３２の出力電圧に重畳する微分波形の間欠パルス電圧を発生する間欠パルス発生回路１３３とを備えている。また、ランプ装着検出回路５の出力電圧により、この重畳した電圧が反転入力端子に入力される三角波のパルス電圧を出力する発振器１３４とを備えている。また、非反転増幅回路１３２の出力電圧に間欠パルスが重畳された電圧と、発振器１３４の出力する三角波のパルス電圧とを比較し、それに応じた出力を駆動回路９２に出力する比較器１３５を備えている。
【０１２１】
以上のような回路構成で、発振器１３４は前記発振器２４に、比較器１３５は前記比較器２３に相当するもので、駆動回路９２を制御するが、この照明装置１３０の場合は、検出したランプ電圧に微分波形の間欠パルスを重畳した電圧を比較器１３５の非反転入力端子に入力している。そのため、発振器１３４の三角波のパルス電圧とランプ電圧のみを比較器１３５で比較するだけなら、スイッチング素子９４がオンになっている期間中でも、この間欠パルスの発生に対応した短時間だけ、スイッチング素子９４がオフとなり、図１１に示すように、ランプ電流が略ゼロまで低下する休止区間ｈが生じる。この休止区間ｈは、高圧放電ランプ６が立ち消えない程度、実質的に再点弧しない程度の極短時間、例えば数百μｍ程度とする。
【０１２２】
ところで、高圧放電ランプ６を直流駆動する場合に、高圧放電ランプ６の装着が不完全で、口金とソケットとの間に隙間が生じていると、この隙間で放電が生じ、ソケットなどの金属部分に変形が生じるなど弊害を生む場合がある。
【０１２３】
しかし、このような放電が発生しているときに、前記の休止区間ｈを設ければ消すことができることを本発明者は検証した。この休止区間ｈは１回設ければ放電を解消することができることも検証した。また、この照明装置１３０では、間欠パルスの発生周期で定期的に休止区間ｈを設けるようにしているので、発生時期が予測できない口金とソケットとの間の放電に備えておくことができる。
【０１２４】
〔発明の第８の実施の形態〕
図１２は、この発明の第８の実施の形態を示す照明装置１４０の回路図であり、直流用のものである。同図において図１０と同一符号の回路要素などは、前記発明の第７の実施の形態と同様のものであり、詳細な説明は省略する。
【０１２５】
この照明装置１４０は、制御回路１４１を備えている。この制御回路１４１が、前記の制御回路１３１と相違する点は、間欠パルス発生回路１３３を備えておらず、非反転増幅回路１３２の出力電圧に間欠パルスが重畳されない点にある。
【０１２６】
また、この照明装置１４０は、休止区間発生回路１４２を備えていて、間欠パルス派生回路１３３は、この休止区間発生回路１４２に設けられている。また、休止区間発生回路１４２は、駆動回路９２からスイッチング素子９４に出力されるゲート電圧を電力供給ラインにバイパスするスイッチング素子１４３と、発光素子には間欠パルス派生回路１３３が発生する間欠パルスが入力され、受光素子の出力側がスイッチング素子１４３のゲート側と接続されているフォトカプラ１４４とを備えている。
【０１２７】
すなわち、この照明装置１４０は、駆動回路９２から出力されるスイッチング素子９４のオン信号をバイパスすることにより、スイッチング素子９４を極短時間オフにして、休止区間ｈを作り出すものである。これにより、前記照明装置１３０と同様、口金とソケットとの間の隙間に発生する放電を防止することができる。
【０１２９】
【発明の効果】
請求項１に記載の発明は、放電路が内部に形成される発光管と、前記発光管に対して電気的に並列に接続されており予め定められた電気特性を有する検出用素子とが並列的に組み込まれている放電ランプと；スイッチング素子がオンオフ動作することで放電ランプを点灯駆動させる駆動回路と；前記スイッチング素子をバイパスするバイパス回路と；前記バイパス回路によってスイッチング素子がバイパスされると、前記発光管は点灯しないが前記検出素子へ電流が供給されることで前記検出用素子の電気特性を判別する検出回路と；この検出回路の適合ランプであるとの判別出力に基づき、前記スイッチング素子をオンして前記放電ランプを適正に始動する始動回路と；前記スイッチング素子のオンにより前記放電ランプを安定点灯する点灯回路；とを備えていることを特徴とするものであるので、検出回路の出力が所定の範囲内にあるか否かにより、装着ランプが適合ランプであるか否かを装着ランプを点灯することなく判定することができる。また、適合ランプを装着するだけで自動点灯することも可能となる。さらに、同種の適合ランプの定格ランプ電力の違いに対応した点灯を行なうことも可能となる。そのうえ、検出用素子の温度特性により電気特性が変動することを利用し、検出回路の出力の所定の範囲を適切に設定することで、消灯後にあまり間をおかず再点灯するような場合など、適合ランプである装着ランプが点灯に適しない状態であるか否かまで含めて判断することが可能となる。
【０１３０】
請求項２に記載の発明は、放電路が内部に形成される発光管と、前記発光管に対して電気的に並列に接続されており予め定められた電気特性を有する検出用素子とが並列的に組み込まれている放電ランプと；スイッチング素子がオンオフ動作することで放電ランプを点灯駆動させる駆動回路と；前記スイッチング素子をバイパスするバイパス回路と；前記バイパス回路によってスイッチング素子がバイパスされると、前記発光管は点灯しないが前記検出素子へ電流が供給されることで前記検出用素子の電気特性を判別する検出回路と；この検出回路の出力が所定の範囲にあるとき、前記放電ランプを適合ランプと判定する第１の判定回路と；この検出回路の適合ランプであるとの判別出力に基づき、前記スイッチング素子をオンして前記放電ランプを適正に始動する始動回路と；前記スイッチング素子のオンにより前記放電ランプを安定点灯する点灯回路と；前記第１の判定回路の判定が適合ランプであるとき、前記始動回路及び点灯回路を動作する第１の制御回路とを備えていることを特徴とするものであるので、検出回路の出力が所定の範囲内にあるか否かにより、装着ランプが適合ランプであるか否かを装着ランプを点灯することなく判定することができる。また、装着ランプが適合ランプであるか否かを検出して、適合ランプであるときに始動回路及び点灯回路を動作するので、適合ランプを装着するだけで自動点灯することも可能となる。さらに、同種の適合ランプの定格ランプ電力の違いに対応した点灯を行なうことも可能となる。そのうえ、検出用素子の温度特性により電気特性が変動することを利用し、検出回路の出力の所定の範囲を適切に設定することで、消灯後にあまり間をおかず再点灯するような場合など、適合ランプである装着ランプが点灯に適しない状態であるか否かまで含めて判断することが可能となる。
【０１３１】
請求項３に記載の発明は、放電路が内部に形成される発光管と、前記発光管に対して電気的に並列に接続されており予め定められた電気特性を有する検出用素子とが並列的に組み込まれている放電ランプと；スイッチング素子がオンオフ動作することで放電ランプを点灯駆動させる駆動回路と；前記スイッチング素子をバイパスするバイパス回路と；前記バイパス回路によってスイッチング素子がバイパスされると、前記発光管は点灯しないが前記検出素子へ電流が供給されることで前記検出用素子の電気特性を判別する検出回路と；この検出回路の出力が所定の範囲にあるとき、前記放電ランプを適合ランプと判定する第１の判定回路と；この検出回路の適合ランプであるとの判別出力に基づき、前記スイッチング素子をオンして前記放電ランプを適正に始動する始動回路と；前記スイッチング素子のオンにより前記放電ランプを安定点灯する点灯回路と；前記第１の判定回路の判定が適合ランプであるとき、前記始動回路及び点灯回路を動作する第１の制御回路と；前記検出回路の出力に基づいて前記始動回路及び点灯回路の出力を制御する第２の制御回路とを備えていることを特徴とするものであるので、検出回路の出力が所定の範囲内にあるか否かにより、装着ランプが適合ランプであるか否かを装着ランプを点灯することなく判定することができる。また、装着ランプが適合ランプであるか否かを検出して、適合ランプであるときに始動回路及び点灯回路を動作するので、適合ランプを装着するだけで自動点灯することも可能となる。さらに、同種の適合ランプの定格ランプ電力の違いに対応した点灯を行なうことも可能となる。そのうえ、消灯後にあまり間をおかず再点灯するような場合など、適合ランプである装着ランプが点灯に適しない状態であるか否かまで含めて判断することが可能となる。検出回路の出力に基づいて始動回路及び点灯回路の出力を制御するので、同種の放電ランプの定格電力の違いを判別して適正に点灯することも可能となる。
【０１３２】
請求項４に記載の発明は、請求項２または３に記載の発明において、第１の判定回路が装着ランプを適合ランプであると判定した後予め設定された期間中は放電ランプの点灯を留保する留保手段を備えていることを特徴とするものであるので、期間中は放電ランプを点灯しないので、適合ランプを装着すれば直ちに自動点灯される場合にも安全である。
【０１３３】
請求項５に記載の発明は、請求項４に記載の発明において、第１の判定回路が装着ランプを適合ランプであると判定した後予め設定された期間をカウントする第１のタイマと、この期間中は始動回路を停止する第３の制御回路とを備えていることを特徴とするものであるので、装着ランプを適合ランプであると判定した後、予め設定された期間をカウントし、この期間中は始動回路を停止することで放電ランプの点灯を留保するので、適合ランプを装着すれば直ちに自動点灯される場合にも安全である。
【０１３４】
請求項６に記載の発明は、請求項１、２、３、４、５のいずれかの一に記載の発明において、始動回路は；始動用パルスを放電ランプに印加するように構成されており；前記始動回路が始動パルスを発生したときに、その始動パルスの継続時間をカウントする第２のタイマと；このカウント時間が予め設定された時間を超えるときには前記始動回路を停止する第４の制御回路とを備えていることを特徴とするものであるので、装着ランプの故障などに起因して一定時間始動パルスを与えても点灯しないときは、始動回路を停止し、無駄な始動パルスによりランプの口金の絶縁破壊や、他の電気、電子機器への悪影響を防止することができる。
【０１３６】
請求項７に記載の発明は、請求項１、２、３、４、５、６のいずれかの一に記載の発明において、点灯回路は、放電ランプを直流点灯する構成であり；前記点灯回路を制御して、前記放電ランプのランプ電流に当該放電ランプが再点弧しない程度の時間の休止区間を設ける第６の制御回路を備えていることを特徴とするものであるので、直流点灯する放電ランプのランプ電流に、当該放電ランプが再点弧しない程度の時間の休止区間が生じる。このように、ランプ電流に休止区間をつくることにより、ランプの口金とソケットとの隙間で放電が生じるのを防止できることが確かめられた。
【０１３７】
請求項８に記載の発明は、請求項１、２、３、４、５、６、７のいずれかの一に記載の発明において、放電ランプは；点灯の際の発光管の等価抵抗またはインピーダンスより検出用素子の抵抗またはインピーダンスが大きいものであることを特徴とするものであるので、検出用素子による電力損失を抑制することができる。
【０１３８】
請求項９に記載の発明は、請求項１、２、３、４、５、６、７、８のいずれかの一に記載の発明において、放電ランプ内に設けられ、この放電ランプの温度の上昇により動作して検出用素子への通電を切るバイメタルスイッチなどの熱応動素子を備えていることを特徴とするものであるので、適合ランプを点灯した後、ある程度ランプ温度が上昇したところで検出用素子への通電を切って、電力損失を防止することができる。
【０１３９】
請求項１０に記載の発明は、請求項１、２、３、４、５、６、７、８、９のいずれかの一に記載の発明において、検出用素子は抵抗温度係数が５００ｐｐｍ／℃以上の抵抗であることを特徴とするものであるので、検出用素子の温度特性を用いて検出を行なう場合でも、抵抗温度係数が５００ｐｐｍ／℃以上と比較的大きな抵抗を検出用素子とするので、温度変動に応じた抵抗またはインピーダンスなどの電気特性の値の変動を大きくすることができて、検出の精度を向上することができる。
【図面の簡単な説明】
【図１】この発明の第１の実施の形態を示す照明装置の回路図。
【図２】前記照明装置の適合ランプである高圧放電ランプの平面図。
【図３】前記照明装置の作用を説明するグラフ。
【図４】この発明の第２の実施の形態を示す照明装置の回路図。
【図５】この発明の第３の実施の形態を示す照明装置の回路図。
【図６】この発明の第４の実施の形態を示す照明装置の回路図。
【図７】前記照明装置の適合ランプである高圧放電ランプの平面図。
【図８】この発明の第５の実施の形態を示す照明装置の回路図。
【図９】この発明の第６の実施の形態を示す照明装置の回路図。
【図１０】この発明の第７の実施の形態を示す照明装置の回路図。
【図１１】前記照明装置のランプ電流の時間変化を示すグラフ。
【図１２】この発明の第８の実施の形態を示す照明装置の回路図。
【符号の説明】
１  照明装置
３  点灯回路
４  始動回路
５  検出回路、第１の判定回路、第１の比較回路
６  放電ランプ
１２  第１、第２、第４の制御回路
４１  放電路
４２  検出用素子
６０  照明装置
６３  点灯回路
７５  第１、第２の制御回路
８０  照明装置
８１  第３の制御回路
８３  第２のタイマ
９０  照明装置
９３  点灯回路
１０３  第１、第２、第４の制御回路
１０４  第１のタイマ
１０５  第２のタイマ
１０６  熱応動素子
１１０  照明装置
１１１  第２の比較回路
１１４  出力検出回路
１２０  照明装置
１２１  留保手段
１２４  第１のタイマ、第３の制御回路
１２５  第３の制御回路
１３０  照明装置
１３１  第６の制御回路
１４０  照明装置
１４１  第６の制御回路
１４２  第６の制御回路
【図１】
0004058652.tif 000002
【図２】
0004058652.tif 000003
【図３】
0004058652.tif 000004
【図４】
0004058652.tif 000005
【図５】
0004058652.tif 000006
【図６】
0004058652.tif 000007
【図７】
0004058652.tif 000008
【図８】
0004058652.tif 000009
【図９】
0004058652.tif 000010
【図１０】
0004058652.tif 000011
【図１１】
0004058652.tif 000012
【図１２】
0004058652.tif 000013